(57)【要約】【課題】低コストの信号レベル検出装置および信号レベル検出方法を提供する。【解決手段】このレベルチェッカーは、デジタルテレビ放送を受信するアンテナに入射するＬＴＥ信号の信号レベルを検出するＬＴＥモードにおいて、それぞれ３つの携帯電話会社Ａ，Ｂ，Ｃに予め割り当てられた３つの帯域の全部におけるＬＴＥ信号の信号レベルを検出する場合は、３つの帯域のＬＴＥ信号の信号レベルを１帯域分ずつ順次検出し、検出した３帯域分のＬＴＥ信号の信号レベルを加算し、３帯域分のＬＴＥ信号の信号レベルの和を示す画像を表示する。したがって、１帯域幅の帯域フィルタ２３のみを設ければ足りるので、装置の低コスト化を図ることができる。【選択図】図６
2015167275.tif 000002
【特許請求の範囲】
【請求項１】
デジタルテレビ放送を受信するアンテナに入射するＬＴＥ信号の信号レベルを検出する信号レベル検出装置であって、
それぞれ第１〜第Ｎ（ただし、Ｎは２以上の整数である）の携帯電話会社に予め割り当てられた第１〜第Ｎの帯域におけるＬＴＥ信号の信号レベルを１帯域分ずつ順次検出する検出部と、
前記検出部によって検出されたＮ帯域分のＬＴＥ信号の信号レベルを加算する加算部と、
前記加算部によって求められたＮ帯域分のＬＴＥ信号の信号レベルの和を示す画像を表示する画像表示部とを備える、信号レベル検出装置。
【請求項２】
さらに、前記第１〜第Ｎの帯域のうちのいずれか１つの帯域か全部の帯域を選択する選択部を備え、
前記検出部は、前記選択部によって１つの帯域が選択された第１の場合は、選択された帯域におけるＬＴＥ信号の信号レベルを検出し、前記選択部によって全部の帯域が選択された第２の場合は、前記第１〜第Ｎの帯域におけるＬＴＥ信号の信号レベルを１帯域分ずつ順次検出し、
前記画像表示部は、前記第１の場合は前記検出部によって検出されたＬＴＥ信号の信号レベルを表示し、前記第２の場合は前記加算部によって求められたＮ帯域分のＬＴＥ信号の信号レベルの和を表示する、請求項１に記載の信号レベル検出装置。
【請求項３】
前記第１〜第Ｎの帯域の帯域幅は同じであり、
前記検出部は、
前記第１の場合は、選択された帯域におけるＬＴＥ信号を予め定められた帯域の中間周波信号に変換し、前記第２の場合は、前記第１〜第Ｎの帯域におけるＬＴＥ信号を前記予め定められた帯域の中間周波信号に順次変換する周波数変換部と、
前記周波数変換部によって生成された前記予め定められた帯域の中間周波信号を選択的に通過させる帯域フィルタとを含み、
前記帯域フィルタを通過した中間周波信号に基づいてＬＴＥ信号の信号レベルを検出する、請求項２に記載の信号レベル検出装置。
【請求項４】
前記Ｎは３であり、
前記第１〜第Ｎの帯域の各々の帯域幅は１０ＭＨｚである、請求項３に記載の信号レベル検出装置。
【請求項５】
デジタルテレビ放送を受信するアンテナに入射するＬＴＥ信号の信号レベルを検出する信号レベル検出方法であって、
それぞれ第１〜第Ｎ（ただし、Ｎは２以上の整数である）の携帯電話会社に予め割り当てられた第１〜第Ｎの帯域におけるＬＴＥ信号の信号レベルを１帯域分ずつ順次検出する第１のステップと、
前記第１のステップで検出された前記第１〜第Ｎの帯域におけるＬＴＥ信号の信号レベルを加算する第２のステップと、
前記第２のステップで求められた前記第１〜第Ｎの帯域におけるＬＴＥ信号の信号レベルの和を示す画像を表示する第３のステップとを備える、信号レベル検出方法。
【発明の詳細な説明】
【技術分野】
【０００１】
この発明は信号レベル検出装置および信号レベル検出方法に関し、特に、デジタルテレビ放送を受信するアンテナに入射する信号の信号レベルを検出する信号レベル検出装置および信号レベル検出方法に関する。
【背景技術】
【０００２】
従来より、デジタルテレビ放送を受信するアンテナから受信信号を取得し、受信信号の信号レベルを検出し、その検出値を示す画像を画面に表示するレベルチェッカーが知られている（たとえば、特許文献１参照）。このレベルチェッカーを使用すれば、アンテナを設置する際にアンテナの方向を最適な方向に容易に調整することができる。
【先行技術文献】
【特許文献】
【０００３】
【特許文献１】特開２０１３−１８７８４０号公報
【発明の概要】
【発明が解決しようとする課題】
【０００４】
現状ではデジタルテレビ放送の電波には４７０〜７７０ＭＨｚの帯域が割り当てられていたが、近い将来に７１０〜８１０ＭＨｚの帯域については携帯電話機と基地局の間で送受信されるＬＴＥ(Long Term Evolution)信号に割り当てられることとなっている。このように周波数帯域の割り当てが変更されると、従来のデジタルテレビ放送用のアンテナはＬＴＥ信号も受信してしまうので、アンテナが受信するＬＴＥ信号の信号レベルが高過ぎる場合には、デジタルテレビ放送の受信に悪影響が発生することが想定される。
【０００５】
そこで、デジタルテレビ放送用のアンテナが受信するＬＴＥ信号の信号レベルを検出するレベルチェッカーの開発が望まれている。レベルチェッカーを用いてＬＴＥ信号の信号レベルを検出することができれば、アンテナにＬＴＥ信号を除去するためのフィルタを設けるなどの対策を講じる必要があるか否かを容易に判別することができる。
【０００６】
また、７１８〜７２８ＭＨｚの帯域、７２８〜７３８ＭＨｚの帯域、７３８〜７４８ＭＨｚの帯域は、それぞれ３つの携帯電話会社Ａ，Ｂ，Ｃの上りＬＴＥ信号に割り当てられ、７６８〜７７８ＭＨｚの帯域、７７８〜７８８ＭＨｚの帯域、７８８〜７９８ＭＨｚの帯域はそれぞれ３つの携帯電話会社Ａ，Ｂ，Ｃの下りＬＴＥ信号に割り当てられる。上りＬＴＥ信号は携帯電話機から基地局に送信される信号であり、下りＬＴＥ信号は基地局から携帯電話機に送信される信号である。
【０００７】
このため、レベルチェッカーには、ＬＴＥ信号の信号レベルを各帯域毎に検出する機能と、上り信号用の３つの帯域におけるＬＴＥ信号の信号レベルの和を検出する機能と、下り信号用の３つの帯域におけるＬＴＥ信号の信号レベルの和を検出する機能とが求められている。しかし、１つの帯域のＬＴＥ信号を抽出する１０ＭＨｚ幅の帯域フィルタと、３つの帯域のＬＴＥ信号を抽出する３０ＭＨｚ幅の帯域フィルタとを別々に設けると、コスト高になるという問題がある。
【０００８】
それゆえに、この発明の主たる目的は、低コストの信号レベル検出装置および信号レベル検出方法を提供することである。
【課題を解決するための手段】
【０００９】
この発明に係る信号レベル検出装置は、デジタルテレビ放送を受信するアンテナに入射するＬＴＥ信号の信号レベルを検出する信号レベル検出装置であって、それぞれ第１〜第Ｎ（ただし、Ｎは２以上の整数である）の携帯電話会社に予め割り当てられた第１〜第Ｎの帯域におけるＬＴＥ信号の信号レベルを１帯域分ずつ順次検出する検出部と、検出部によって検出されたＮ帯域分のＬＴＥ信号の信号レベルを加算する加算部と、加算部によって求められたＮ帯域分のＬＴＥ信号の信号レベルの和を示す画像を表示する画像表示部とを備えたものである。
【００１０】
好ましくは、さらに、第１〜第Ｎの帯域のうちのいずれか１つの帯域か全部の帯域を選択する選択部を備える。検出部は、選択部によって１つの帯域が選択された第１の場合は、選択された帯域におけるＬＴＥ信号の信号レベルを検出し、選択部によって全部の帯域が選択された第２の場合は、第１〜第Ｎの帯域におけるＬＴＥ信号の信号レベルを１帯域分ずつ順次検出する。画像表示部は、第１の場合は検出部によって検出されたＬＴＥ信号の信号レベルを表示し、第２の場合は加算部によって求められたＮ帯域分のＬＴＥ信号の信号レベルの和を表示する。
【００１１】
好ましくは、第１〜第Ｎの帯域の帯域幅は同じである。検出部は、第１の場合は、選択された帯域におけるＬＴＥ信号を予め定められた帯域の中間周波信号に変換し、第２の場合は、第１〜第Ｎの帯域におけるＬＴＥ信号を予め定められた帯域の中間周波信号に順次変換する周波数変換部と、周波数変換部によって生成された予め定められた帯域の中間周波信号を選択的に通過させる帯域フィルタとを含み、帯域フィルタを通過した中間周波信号に基づいてＬＴＥ信号の信号レベルを検出する。
【００１２】
好ましくは、Ｎは３であり、第１〜第Ｎの帯域の各々の帯域幅は１０ＭＨｚである。
また、この発明に係る信号レベル検出方法は、デジタルテレビ放送を受信するアンテナに入射するＬＴＥ信号の信号レベルを検出する信号レベル検出方法であって、それぞれ第１〜第Ｎ（ただし、Ｎは２以上の整数である）の携帯電話会社に予め割り当てられた第１〜第Ｎの帯域におけるＬＴＥ信号の信号レベルを１帯域分ずつ順次検出する第１のステップと、第１のステップで検出された第１〜第Ｎの帯域におけるＬＴＥ信号の信号レベルを加算する第２のステップと、第２のステップで求められた第１〜第Ｎの帯域におけるＬＴＥ信号の信号レベルの和を示す画像を表示する第３のステップとを備えたものである。
【発明の効果】
【００１３】
この発明に係る信号レベル検出装置および信号レベル検出方法では、それぞれ第１〜第Ｎの携帯電話会社に予め割り当てられた第１〜第Ｎの帯域におけるＬＴＥ信号の信号レベルを１帯域分ずつ順次検出し、検出したＮ帯域分のＬＴＥ信号の信号レベルを加算し、Ｎ帯域分のＬＴＥ信号の信号レベルの和を示す画像を表示する。したがって、１帯域幅の帯域フィルタを設ければ足り、Ｎ帯域幅の帯域フィルタを別途設ける必要はないので、低コスト化を図ることができる。
【図面の簡単な説明】
【００１４】
【図１】この発明の一実施の形態によるレベルチェッカーの構成を示す斜視図である。
【図２】図１に示した画像表示部の画面を示す図である。
【図３】図１に示したレベルチェッカーの構成を示す回路ブロック図である。
【図４】図３に示したチューナーＩＣの構成を示す回路ブロック図である。
【図５】図３に示した制御部の動作を示すフローチャートである。
【図６】図３に示した制御部の他の動作を示すフローチャートである。
【発明を実施するための形態】
【００１５】
図１（ａ）は、この発明の一実施の形態によるレベルチェッカーを斜め上の前方から見た斜視図であり、図１（ｂ）はレベルチェッカーを斜め上の後方から見た斜視図である。図１（ａ）（ｂ）において、このレベルチェッカーは、本体部１と、本体部１の上端に設けられたアンテナ端子２と、本体部１の正面の上部に設けられた画像表示部３と、本体部１の正面の中央部に設けられた操作部４と、本体部１の裏面の下部に設けられたバッテリ収容部５とを備える。
【００１６】
本体部１内には、後述するチューナーＩＣ(Integrated Circuit)、復調器、制御部などが収容されている。アンテナ端子２は、ケーブルを介して測定対象のアンテナに接続される。画像表示部３はＬＣＤ（Liquid Crystal Display）を含み、その画面には検出された信号レベルなどが表示される。操作部４は、５個のボタンＢ１〜Ｂ５および十字キーＫを含み、レベルチェッカーの使用者によって操作される。バッテリ収容部５には、レベルチェッカーの電源となるバッテリが収容される。
【００１７】
レベルチェッカーの使用者は、本体部１の下部を一方の手で握り、画像表示部３を見ながら、他方の手で操作部４を操作して測定対象の信号などを選択したり、アンテナの向きを調整する。
【００１８】
図２は、図１に示した画像表示部３の画面を示す図である。図２において、画像表示部３の画面の上端の第１領域Ａ１には、給電機能と電圧測定機能の切り換え、マイクロＳＤカードの有無、音量、電池残量を示す文字やシンボルが表示される。第１領域Ａ１の下の第２領域Ａ２には、ＵＨＦ(ultra high frequency)モード、ＢＳ（Broadcast Satelite）モード、ＣＳ（Communication Satellite）モード、ＬＴＥモードのうちの選択されたモードを示す文字が表示される。
【００１９】
ＵＨＦモードでは、アンテナ端子２はＵＨＦ放送（地上波デジタルテレビ放送）用のアンテナに接続され、そのアンテナが受信した信号の信号レベルが検出される。ＢＳモードでは、アンテナ端子２はＢＳ放送用のアンテナに接続され、そのアンテナが受信した信号の信号レベルが検出される。ＣＳモードでは、アンテナ端子２はＣＳ放送用のアンテナに接続され、そのアンテナが受信した信号の信号レベルが検出される。ＬＴＥモードでは、アンテナ端子２はＵＨＦ放送（地上波デジタルテレビ放送）用のアンテナに接続され、そのアンテナに入射したＬＴＥ信号の信号レベルが検出される。
【００２０】
第２領域Ａ２の左下の第３領域Ａ３には、検出する信号の周波数（ＭＨｚ）またはチャンネル（ＣＨ）を示す文字が表示される。ＵＨＦモードでは、１３〜５２ｃｈのうちの選択されたｃｈが第３領域Ａ３に表示され、そのｃｈの信号レベルが検出される。ＢＳモードでは、１〜２３ｃｈのうちの奇数番のｃｈから選択されたｃｈが第３領域Ａ３に表示され、そのｃｈの信号レベルが検出される。ＣＳモードでは、２〜２４ｃｈのうちの偶数番のｃｈから選択されたｃｈが表示され、そのｃｈの信号レベルが第３領域Ａ３に検出される。
【００２１】
また、携帯電話会社Ａ，Ｂ，Ｃの携帯電話機から基地局への上りＬＴＥ信号には、それぞれ中心周波数が７２３，７３３，７４３ＭＨｚで１０ＭＨ幅の帯域が割り当てられている。また、携帯電話会社Ａ，Ｂ，Ｃの基地局から携帯電話機への下りＬＴＥ信号には、それぞれ中心周波数が７７３，７８３，７９３ＭＨｚで１０ＭＨ幅の帯域が割り当てられている。
【００２２】
ＬＴＥモードにおいて、１０ＭＨｚの帯域幅が選択され、かつ７２３，７３３，７４３，７７３，７８３，７９３ＭＨｚのうちのいずれかの中心周波数が選択された場合は、選択された中心周波数が第３領域Ａ３に表示され、その周波数を中心とする１０ＭＨｚ幅の帯域のＬＴＥ信号の信号レベルが検出される。
【００２３】
また、ＬＴＥモードにおいて、３０ＭＨｚの帯域幅が選択され、かつ７３３または７８３ＭＨｚが選択された場合は、選択された周波数が第３領域Ａ３に表示され、その周波数を中心とする３０ＭＨｚ幅の帯域のＬＴＥ信号の信号レベルが検出される。第３領域Ａ３の下の第４領域Ａ４には、検出した信号レベル（ｄＢまたはμＶ）を示す文字が表示される。
【００２４】
第３領域Ａ３および第４領域Ａ４の右横の第５領域Ａ５には、信号品質を示すＭＥＲ（Modulation Error Ratio）、Ｃ／Ｎ（Carrier/Noise)、またはＢＥＲ（Bit Error Rate）のレベル（ｄＢ）を示す文字、それらのレベルを示す円形のインジケータ、信号品質が良好であることを示すＧＯＯＤの文字などが表示される。ＵＨＦモード時はＭＥＲまたはＢＥＲの測定値が表示され、ＢＳモードおよびＣＳモード時はＣ／ＮまたはＢＥＲの測定値が表示される。
【００２５】
また第５領域Ａ５には、ＬＴＥモードにおいて１０ＭＨｚ幅の上り信号が選択された場合はＵＬ１０の文字が表示され、１０ＭＨｚ幅の下り信号が選択された場合はｄＬ１０の文字が表示される。また、ＬＴＥモードにおいて３０ＭＨｚ幅の上り信号が選択された場合はＵＬ３０の文字が表示され、３０ＭＨｚ幅の下り信号が選択された場合はｄＬ３０の文字が表示される。また、第５領域Ａ５には、電圧測定モード時には測定した電圧（Ｖ）を示す文字が表示される。
【００２６】
第４領域Ａ４の下の第６領域Ａ６には、スキャン機能とメモリ機能の切り換えを示す文字が表示される。第６領域Ａ６に右横の第７領域Ａ７には、スキャンモードにおいて選択した帯域に存在する１または２以上のｃｈを示す文字が表示される。また、第７領域Ａ７には、日時を表示することも可能となっている。
【００２７】
図１に戻って、操作部４の十字キーＫの四隅に４つのボタンＢ１〜Ｂ４が配置され、十字キーＫの中央の孔に１つのボタンＢ５が配置されている。電源ボタンＢ１を長押しすると電源がオンされ、電源がオンされているときに電源ボタンＢ１を長押しすると電源がオフされる。電源がオンされると、内蔵の制御部などが初期化され、画像表示部３の画面においてＵＨＦの１３ｃｈを示す文字が点滅する。
【００２８】
モードボタンＢ２を押すと、１回押す度にＵＨＦ，ＢＳ，ＣＳ，ＬＴＥ，ＵＨＦ，…とモードが順次切り換えられ、画像表示部３の画面においてモードを示す文字が点滅する。たとえば、ＵＨＦの文字が点滅しているときに決定ボタンＢ５を押すと、画像表示部３の画面においてＵＨＦの文字が点灯し、ＵＨＦモードが決定される。また、ＬＴＥの文字が点滅しているときに決定ボタンＢ５を押すと、画像表示部３の画面においてＬＴＥの文字が点灯し、ＬＴＥモードが決定される。
【００２９】
ＵＨＦモード、ＢＳモード、またはＣＳモード時に十字キーＫの上端部を押すとｃｈ番号が増え、十字キーＫの下端部を押すとｃｈ番号が減少する。たとえば、画像表示部３の画面において１３ｃｈを示す文字が点滅しているときに決定ボタンＢ５を押すと、１３ｃｈを示す文字が点灯して１３ｃｈの選択が決定され、１３ｃｈの信号レベルとＭＥＲのレベルとインジケータが画像表示部３の画面に表示される。
【００３０】
また、ＵＨＦモードにおいては、十字キーＫの左端部を押す度に、ＭＥＲとＢＥＲの表示が切り換えられる。また、ＢＳモードおよびＣＳモードにおいては、十字キーＫの左端部を押す度に、ＭＥＲとＣ／Ｎの表示が切り換えられる。また、十字キーＫの右端部を押すことにより、音量を複数段階で切り換えることが可能となっている。
【００３１】
また、スキャン／メモリボタンＢ３を押す度に、スキャンとメモリの文字の表示が切り換えられる。ＵＨＦモード、ＢＳモード、ＣＳモードにおいてスキャンの文字が表示されているときに決定ボタンＢ５を押すと、スキャン機能が実行され、それぞれＵＨＦ帯域、ＢＳ帯域、およびＣＳ帯域に存在するｃｈが検出されて画像表示部３の画面の第７領域Ａ７に表示される。また、各モードにおいてメモリの文字が表示されている場合は、検出結果が内蔵のメモリに記憶される。
【００３２】
また、給電／電圧ボタンＢ４を押す度に給電と電圧の文字表示が切り換えられる。各モードにおいて給電の文字が表示されているときに決定ボタンＢ５を押すと、レベルチェッカーからアンテナに電流が供給される。また、電圧の文字が表示されているときに決定ボタンＢ５を押すと、アンテナ端子２に印加された電圧が検出される。また、決定ボタンＢ５を長押しすると、画像表示部３の画面の第７領域Ａ７に日時が表示される。
【００３３】
また、ＬＴＥモード時に十字キーＫの上端部または下端部を押すと、測定対象となるＬＴＥ信号の周波数帯域が順次切り換わる。たとえば、十字キーＫの上端部を押すと、測定対象となるＬＴＥ信号の周波数帯域が７２３±５，７３３±５，７４３±５，７７３±５，７８３±５，７９３±５，７３３±１５，７８３±１５，７２３±５，…と順次切り換わる。また、十字キーＫの下端部を押すと、測定対象となるＬＴＥ信号の周波数帯域が逆の順序で順次切り換わる。十字キーＫの上端部または下端部を押すのを止めると、選択された周波数および帯域幅を示す文字がそれぞれ画像表示部３の画面の第３領域Ａ３および第５領域Ａ５において点滅する。
【００３４】
たとえば、７２３ＭＨｚおよびＵＬ１０の文字が点滅しているときに、決定ボタンＢ５を押すと、７２３ＭＨｚおよびＵＬ１０の文字が点灯して７２３±５ＭＨｚの周波数帯域の選択が決定され、その周波数帯域におけるＬＴＥ信号の信号レベルが測定されて画像表示部３の画面の第４領域Ａ４に表示される。
【００３５】
また、７３３ＭＨｚおよびＵＬ３０の文字が点滅しているときに、決定ボタンＢ５を押すと、７３３ＭＨｚおよびＵＬ３０の文字が点灯して７３３±１５ＭＨｚの周波数帯域の選択が決定され、その周波数帯域におけるＬＴＥ信号の信号レベルが測定されて画像表示部３の画面の第４領域Ａ４に表示される。なお、この場合は、７２３±５，７３３±５，７４３±５ＭＨｚの３つの周波数帯域におけるＬＴＥ信号の信号レベルが順次測定され、加算されて、７３３±１５ＭＨｚの周波数帯域におけるＬＴＥ信号の信号レベルとして画像表示部３の画面に表示される。
【００３６】
図３は、レベルチェッカーの構成を示す回路ブロック図である。図３において、レベルチェッカーの本体部１内には、コンデンサ１０、チューナーＩＣ１１、復調器１２、発振器１３、および制御部１４が収容されている。
【００３７】
アンテナ（図示せず）によって受信された高周波信号ＲＦは、ケーブル（図示せず）、アンテナ端子２、およびコンデンサ１０を介してチューナーＩＣ１１に与えられる。チューナーＩＣ１１は、図４に示すように、増幅器２０、局部発振器２１、ミキサ回路２２、帯域フィルタ２３、および制御信号生成部２４を含む。
【００３８】
増幅器２０は、復調器１２からの自動利得制御信号ＡＧＣに応じた利得で高周波信号ＲＦを増幅する。局部発振器２１は、制御信号生成部２４からの制御信号ＣＮＴ１に応じた周波数の局部発振信号を生成する。ミキサ回路２２は、増幅器２０からの高周波信号ＲＦと局部発振器２１からの局部発振信号とを混合して中間周波信号ＩＦを生成する。これにより、操作部４によって選択されたｃｈの高周波信号ＲＦが所定の周波数帯域の中間周波信号ＩＦに変換される。
【００３９】
帯域フィルタ２３の帯域幅は、６ＭＨｚ、８ＭＨｚ、および１０ＭＨｚのうちの所望の周波数の幅に変更可能になっており、制御信号生成部２４からの制御信号ＣＮＴ２によって設定される。ＵＨＦ放送、ＢＳ放送、およびＣＳ放送の各々では各ｃｈの帯域幅は６ＭＨｚであり、ＬＴＥ信号では各帯域の帯域幅は１０ＭＨｚである。このため、帯域フィルタ２３の帯域幅は、ＵＨＦモード、ＢＳモード、およびＣＳモードの各々では６ＭＨｚに設定され、ＬＴＥモードでは１０ＭＨｚに設定される。帯域フィルタ２３は、上記所定の周波数帯域の中間周波信号ＩＦのうちの設定された周波数の幅の信号成分のみを通過させる。
【００４０】
制御信号生成部２４は、復調器１２から供給されるクロック信号ＳＣＬおよびデータ信号ＳＣＡに基づいて制御信号ＣＮＴ１，ＣＮＴ２を生成する。制御信号ＣＮＴ１，ＣＮＴ２は、それぞれ局部発振器２１および帯域フィルタ２３に供給される。
【００４１】
たとえば、操作部４を用いてＵＨＦの１３ｃｈが選択された場合は、４７０〜４７６ＭＨｚの高周波信号ＲＦが所定の周波数帯域の中間周波信号ＩＦに変換され、その中間周波信号ＩＦのうちの６ＭＨｚ幅の帯域の信号成分のみが帯域フィルタ２３を通過する。
【００４２】
また、ＬＴＥ信号の７２３±５ＭＨｚが選択された場合は、７１８〜７２８ＭＨｚの高周波信号ＲＦが所定の周波数帯域の中間周波信号ＩＦに変換され、その中間周波信号ＩＦのうちの１０ＭＨｚ幅の帯域の信号成分のみが帯域フィルタ２３を通過する。
【００４３】
また、ＬＴＥ信号の７３３±１５ＭＨｚが選択された場合は、７１８〜７２８ＭＨｚの高周波信号ＲＦ、７２８〜７３８ＭＨｚの高周波信号ＲＦ、７３８〜７４８ＭＨｚの高周波信号ＲＦが、所定の周波数帯域の中間周波信号ＩＦに順次変換され、各中間周波信号ＩＦのうちの１０ＭＨｚ幅の帯域の信号成分のみが帯域フィルタ２３を通過する。
【００４４】
図３に戻って、復調器１２は、発振器１３で生成されるクロック信号に同期して動作する。復調器１２は、クロック信号ＳＣＬおよびデータ信号ＳＣＡをチューナＩＣ１１に送信し、チューナーＩＣ１１を制御する。また、復調器１２は、チューナーＩＣ１１からの中間周波信号ＩＦの信号レベルが所定の信号レベルになるように自動利得制御信号ＡＧＣを生成してチューナーＩＣ１１にフィードバックするとともに、自動利得制御信号ＡＧＣを制御部１４に与える。
【００４５】
また、復調器１２は、チューナＩＣ１１からの中間周波信号ＩＦを復調してデータ信号を再生する。復調器１２は、再生したデータ信号などをデータ信号ＳＣＡとして、クロック信号ＳＣＬに同期して制御部１４に供給する。
【００４６】
制御部１４は、操作部４からの信号に従って、レベルチェッカー全体を制御する。特に、制御部１４は、操作部４からの信号に従って、クロック信号ＳＣＬおよびデータ信号ＳＣＡを画像表示部３に送信し、図２で説明した画像を表示させる。また、制御部１４は、復調器１２からの自動利得制御信号ＡＧＣに基づいて高周波信号ＲＦの信号レベルを検出し、その信号レベルを示すデータ信号ＳＣＡを画像表示部３に送信する。また、制御部１４は、復調器１２からのデータ信号に基づいてＭＥＲ、Ｃ／Ｎ、ＢＥＲを検出し、それらのレベルを画像表示部３に表示させる。制御部１４は、たとえば、ＣＰＵ(Central Processing Unit)とメモリを含むマイクロコンピュータで構成される。
【００４７】
次に、本願の特徴となるＬＴＥモードについて説明する。ＬＴＥモードは、地上デジタルテレビ放送用のアンテナ（ＵＨＦアンテナ）に入射されるＬＴＥ信号の信号レベルを検出するモードである。このＬＴＥモードでは、図１（ａ）（ｂ）に示したアンテナ端子２は、ケーブルを介して測定対象の地上デジタルテレビ放送用のアンテナ（図示せず）に接続される。
【００４８】
レベルチェッカーの使用者によって電源ボタンＢ１が長押しされると電源がオンされ、モードボタンＢ２、十字キーＫ、および決定ボタンＢ５が操作されて中心周波数が７２３ＭＨｚで帯域幅が１０ＭＨｚのＬＴＥ信号の信号レベルの検出が選択されたものとする。これにより、画像表示部３の画面の領域Ａ２，Ａ３，Ａ５にそれぞれＬＴＥ，７２３ＭＨｚ，ＵＬ１０の文字が表示される。
【００４９】
図５は、ＬＴＥモードにおいて１０ＭＨｚ幅の帯域が選択された場合における制御部１４の動作を示すフローチャートである。図５では、７２３±５ＭＨｚの帯域が選択された場合が示されている。制御部１４は、ステップＳ１において復調器１２を介してチューナーＩＣ１１のチャンネルを７２３ＭＨｚに設定し、帯域フィルタ２３の帯域幅を１０ＭＨｚに設定する。これにより、ＬＴＥ信号が増幅器２０で増幅され、ミキサ回路２２で周波数変換されて中間周波信号ＩＦとなり、その中間周波信号ＩＦが帯域フィルタ２３を通過して復調器１２に供給され、復調器１２から増幅器２０に自動利得制御信号ＡＧＣがフィードバックされる。
【００５０】
なお、アンテナに入射するＬＴＥ信号の信号レベルが高い場合は、復調器１２に供給される中間周波信号ＩＦの信号レベルが所定レベルになるように、自動利得制御信号ＡＧＣが低レベルに設定されて増幅器２０の利得が小さな値に設定される。逆に、アンテナに入射するＬＴＥ信号の信号レベルが低い場合は、復調器１２に供給される中間周波信号ＩＦの信号レベルが所定レベルになるように、自動利得制御信号ＡＧＣが高レベルに設定されて増幅器２０の利得が大きな値に設定される。したがって、自動利得制御信号ＡＧＣのレベルからアンテナに入射するＬＴＥ信号の信号レベルを逆算することができる。
【００５１】
制御部１４は、ステップＳ２において、自動利得制御信号ＡＧＣに基づいて、中心周波数が７２３ＭＨｚで帯域幅が１０ＭＨｚのＬＴＥ信号の信号レベルを検出する。制御部１４は、ステップＳ３において、検出した信号レベルを画像表示部３の画面の第４領域Ａ４に表示させ、ＬＴＥモードを終了する。
【００５２】
なお、１０ＭＨｚ幅の他の帯域（７３３，７４３，７７３，７８３，または７９３ＭＨｚ）が選択された場合は、ステップＳ１においてチューナーＩＣ１１の帯域（すなわちｃｈ）が選択された帯域に設定される点が異なるだけであり、他の動作は同じである。
【００５３】
次に、レベルチェッカーの使用者により、モードボタンＢ２、十字キーＫ、および決定ボタンＢ５が操作されて中心周波数が７３３ＭＨｚで帯域幅が３０ＭＨｚのＬＴＥ信号の信号レベルの検出が選択されたものとする。この場合は、画像表示部３の画面の領域Ａ２，Ａ３，Ａ５にそれぞれＬＴＥ，７３３ＭＨｚ，ＵＬ３０の文字が表示される。
【００５４】
図６は、中心周波数が７３３ＭＨｚで帯域幅が３０ＭＨｚのＬＴＥ信号が選択された場合における制御部１４の動作を示すフローチャートである。制御部１４は、ステップＳ１１において復調器１２を介してチューナーＩＣ１１のチャンネルを７２３ＭＨｚに設定し、帯域フィルタ２３の帯域幅を１０ＭＨｚに設定する。これにより、ＬＴＥ信号が増幅器２０で増幅され、ミキサ回路２２で周波数変換されて中間周波信号ＩＦとなり、その中間周波信号ＩＦが帯域フィルタ２３を通過して復調器１２に供給され、復調器１２から増幅器２０に自動利得制御信号ＡＧＣがフィードバックされる。制御部１４は、ステップＳ１２において、自動利得制御信号ＡＧＣに基づいて、中心周波数が７２３ＭＨｚで帯域幅が１０ＭＨｚのＬＴＥ信号の信号レベルを検出し、記憶する。
【００５５】
次に制御部１４は、ステップＳ１３において復調器１２を介してチューナーＩＣ１１のチャンネルを７３３ＭＨｚに設定し、帯域フィルタ２３の帯域幅を１０ＭＨｚに設定する。これにより、ＬＴＥ信号が増幅器２０で増幅され、ミキサ回路２２で周波数変換されて中間周波信号ＩＦとなり、その中間周波信号ＩＦが帯域フィルタ２３を通過して復調器１２に供給され、復調器１２から増幅器２０に自動利得制御信号ＡＧＣがフィードバックされる。制御部１４は、ステップＳ１４において、自動利得制御信号ＡＧＣに基づいて、中心周波数が７３３ＭＨｚで帯域幅が１０ＭＨｚのＬＴＥ信号の信号レベルを検出し、記憶する。
【００５６】
さらに制御部１４は、ステップＳ１５において復調器１２を介してチューナーＩＣ１１のチャンネルを７４３ＭＨｚに設定し、帯域フィルタ２３の帯域幅を１０ＭＨｚに設定する。これにより、ＬＴＥ信号が増幅器２０で増幅され、ミキサ回路２２で周波数変換されて中間周波信号ＩＦとなり、その中間周波信号ＩＦが帯域フィルタ２３を通過して復調器１２に供給され、復調器１２から増幅器２０に自動利得制御信号ＡＧＣがフィードバックされる。制御部１４は、ステップＳ１６において、自動利得制御信号ＡＧＣに基づいて、中心周波数が７４３ＭＨｚで帯域幅が１０ＭＨｚのＬＴＥ信号の信号レベルを検出し、記憶する。
【００５７】
次に制御部１４は、ステップＳ１７において、ステップＳ１２，Ｓ１４，Ｓ１６で検出して記憶した３つのＬＴＥ信号の信号レベルを加算する。最後に制御部１４は、ステップＳ１８において、ステップＳ１７で求めた３帯域分のＬＴＥ信号の信号レベルの和を画像表示部３の画面の第４領域Ａ４に表示させ、ＬＴＥモードを終了する。
【００５８】
なお、３０ＭＨｚ幅の他の帯域（７８３ＭＨｚ）が選択された場合は、ステップＳ１１，Ｓ１３，Ｓ１５においてチューナーＩＣ１１の帯域（すなわちｃｈ）がそれぞれ７７３ＭＨｚ，７８３ＭＨｚ，７９３ＭＨｚに設定される点が異なるだけであり、他の動作は同じである。
【００５９】
レベルチェッカーの使用者は、ＬＴＥ信号の信号レベルが強過ぎる場合は、アンテナからテレビ受信機（あるいはブースター）に供給されるＬＴＥ信号の信号レベルが弱くなるように、ＬＴＥ信号を遮断するためのフィルタをアンテナとテレビ受信機（あるいはブースター）の間に設置するか、アンテナの方向を若干変える。また、レベルチェッカーの使用者は、ＬＴＥ信号の信号レベルが許容範囲内である場合は、ＬＴＥ信号がそのアンテナに及ぼす影響は小さいと判別する。
【００６０】
以上のように、この実施の形態では、ＬＴＥモードにおいて１つの帯域が選択された場合は、選択された１つの帯域のＬＴＥ信号の信号レベルを検出し、３つの帯域が選択された場合は、選択された３つの帯域におけるＬＴＥ信号の信号レベルを１帯域分ずつ順次検出し、検出した３帯域分のＬＴＥ信号の信号レベルを加算する。したがって、１帯域幅の帯域フィルタ２３を設ければ足り、３帯域幅の帯域フィルタを別途設ける必要はないので、装置の低コスト化を図ることができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１  本体部、２  アンテナ端子、３  画像表示部、４  操作部、Ｂ１〜Ｂ５  ボタン、Ｋ  十字キー、５  バッテリ収容部、Ａ１〜Ａ７  領域、１０  コンデンサ、１１  チューナーＩＣ、１２  復調器、１３  発振器、１４  制御部、２０  増幅器、２１  局部発振器、２２  ミキサ回路、２３  帯域フィルタ、２４  制御信号生成部。
【図１】
2015167275.tif 000003
【図２】
2015167275.tif 000004
【図３】
2015167275.tif 000005
【図４】
2015167275.tif 000006
【図５】
2015167275.tif 000007
【図６】
2015167275.tif 000008